(57)【要約】      （修正有）【課題】シンカーヘッドをそのまま使用し、新たな釣り針と容易に交換可能なジグヘッドを提供する。【解決手段】ジグヘッドは、釣り糸11を取り付けるアイ21を備えたシンカーヘッド21と、そのシンカーヘッド21に軸部31の一端を固定し、当該軸部31の他端側を所定方向へ湾曲させた曲がり部32を備えた釣り針部30と、を備える。前記の釣り針部30は、前記の軸部31の一端に平面をなすように拡幅させた拡幅部と、を備える。前記のシンカーヘッド21は、前記の拡幅部と着脱自在に係合する釣り針係合部51を備えた中間部材50と、前記の中間部材50を挿入する中間部材用孔部42と、その中間部材用孔部42内に前記の中間部材50を着脱自在に固定する中間部材固定手段60と、を備える。【選択図】図１
2015192601.tif 000002
【特許請求の範囲】
【請求項１】
釣り糸を取り付けるアイを備えたシンカーヘッドと、そのシンカーヘッドに軸部の一端を固定し、当該軸部の他端側を所定方向へ湾曲させた曲がり部を備えた釣り針部と、を備えたジグヘッドであって、
前記の釣り針部は、前記の軸部の一端に平面をなすように拡幅させた拡幅部と、を備え、
前記のシンカーヘッドは、前記の拡幅部と着脱自在に係合する釣り針係合部を備えた中間部材と、前記の中間部材を挿入する中間部材用孔部と、その中間部材用孔部内に前記の中間部材を着脱自在に固定する中間部材固定手段と、を備えたジグヘッド。
【請求項２】
前記の中間部材は、釣り針部の曲がり部の側に向けて狭くなる方向に傾斜するテーパ面を備え、
前記の中間部材用孔部は、前記の中間部材のテーパ面を挿入可能なテーパ孔を備え、
前記の中間部材固定手段は、前記の中間部材のテーパ面を前記の中間部材用孔部のテーパ孔へ圧着して固定する固定手段である請求項１に記載のジグヘッド。
【請求項３】
前記の中間部材は、前記の釣り針部の軸部の一端側を挿入可能に設けた軸部用穴部を備え、
前記の中間部材固定手段は、
前記の中間部材において前記の軸部用穴部とは反対側の先端に備えた固定用係合部と、
前記のシンカーヘッドにおいて前記の中間部材用孔部に連通して前記の固定用係合部に係合する固定用穴部と、
前記の固定用係合部を前記の固定用穴部へ挿入した状態で固定する固定手段と、を備えることとして形成した請求項１に記載のジグヘッド。
【請求項４】
前記の拡幅部は、釣り針部の針先とは反対端を曲げ加工したリングとし、
前記の釣り針係合部は、前記のリングと係合する溝孔の形状である請求項１から請求項３のいずれかに記載のジグヘッド。
【発明の詳細な説明】
【技術分野】
【０００１】
本発明は、釣り糸の錘となるシンカーヘッドに釣り針を固定して一体化したジグヘッドに関する。
【背景技術】
【０００２】
従来から、釣り用錘であるシンカーヘッドと、釣り針とを一体化したテンヤが、テンヤ釣用の仕掛けとして使用されている。例えば、図１１に示されているようにテンヤ９０は、釣り針９２の後端部をシンカーヘッド９１に埋め込んで一体化している。シンカーヘッド９１には、釣り糸（ライン）を結びつけるためのアイ９３を備えている。
【０００３】
従来のテンヤにおけるシンカーヘッドの材料として鉛が一般的であった。その理由として、鉛は加工性が良いだけでなく、比重が約１１．５という高比重だからである。比重が高いほどシンカーヘッドは小さくなるので、使いやすくなる。
【０００４】
特許文献１には、主に小魚を餌として使用するテンヤが開示されている。餌刺し針（釣り針）は錘本体（シンカーヘッド）に一体的に固定している。餌刺し針には、錘本体側に向けて餌刺し針の途中から分岐して突出する返し針を設けている。このため、餌刺し針に餌魚を刺すだけで餌魚を取り付けることができる、としている。
【０００５】
特許文献２には、太刀魚釣りのテンヤが開示されている。おもりの中央に貫通するスリーブを設け、スリーブに餌魚釣り針を挿入し、抜くことができる。餌魚釣り針の一端を餌魚の尻尾から腹、口へ刺し通してから、餌魚釣り針の一端をおもりのスリーブに挿入し通過させる。ピンを一端に設けたワイヤを、餌魚釣り針の一端に設けた抜け落ち防止穴を通過しておもりの底部から内部を通過して上部へ抜き、そのワイヤに幹糸接続部品を設けることで、餌魚釣り針と錘を固定する。
【先行技術文献】
【特許文献】
【０００６】
【特許文献１】特開２０１３−８５５３５号公報
【特許文献２】特開２０１２−１６５７３２号公報
【発明の概要】
【発明が解決しようとする課題】
【０００７】
従来のテンヤは、特許文献１に示しているように、釣り針をシンカーヘッドに一体的に固定しているものが一般的であった。したがって、釣り針が消耗すると、新たなテンヤと交換し、使用済みのテンヤはすべて廃棄していた。
しかし、釣り針が消耗したことでテンヤ全てを廃棄するのは合理的ではない。
【０００８】
近年では、鉛の環境負荷が指摘されており、鉛から他の合金、特にタングステンが錘として採用されつつある。タングステンは、比重が鉛より高く（比重約１９．０）、十分に堅いので使用していて変形することもほとんどない。材料原価は鉛よりも高価であり、加工性も鉛ほどでは容易ではないため、タングステン製の錘は高価となる。それゆえ、シンカーヘッドにタングステンを採用した場合、釣り針が消耗したことのみをもって廃棄したくない。
【０００９】
特許文献２では、餌魚釣り針とおもりを分離できる構成であるので、餌魚釣り針を交換することができる。しかし、ここで採用している餌魚釣り針は特殊なものであり、一般的な釣り針を採用することができない。
また、餌魚釣り針を錘へ固定する手順も複雑であり、慣れないと面倒である。
【００１０】
図１１に示した従来のテンヤは、図示は省略するが、二分割したテンヤ本体にてアイ付きの針を挟み、挟まれた間部分を溶着して形成している。この溶着に用いる金属は、鉛やタングステンよりも比重が小さい。そのため、テンヤ全体の比重を溶着部分が小さくしているとも言える。
【００１１】
前述してきた課題は、テンヤを例として説明したが、ジグヘッドには共通する課題である。
本発明が解決しようとする課題は、釣り針と容易に新たなものと交換可能なシンカーヘッドの構造を備えたジグヘッドを提供することにある。
【課題を解決するための手段】
【００１２】
（第一の発明）
第一の発明は、  釣り糸(11)を取り付けるアイ(21)を備えたシンカーヘッド(21)と、そのシンカーヘッド(21)に軸部(31)の一端を固定し、当該軸部(31)の他端側を所定方向へ湾曲させた曲がり部(32)を備えた釣り針部(30)と、を備えたジグヘッド(70)に係る。
前記の釣り針部(30)は、前記の軸部(31)の一端に平面をなすように拡幅させた拡幅部(たとえばラインアイとしてのリング35)と、を備える。
前記のシンカーヘッド(21)は、前記の拡幅部と着脱自在に係合する釣り針係合部(51)を備えた中間部材(50)と、前記の中間部材(50)を挿入する中間部材用孔部(42)と、その中間部材用孔部(42)内に前記の中間部材(50)を着脱自在に固定する中間部材固定手段(60)と、を備える。
【００１３】
（用語説明）
「シンカーヘッド(20)」とは、鉛、亜鉛合金、タングステンなどの金属からなる「釣り用錘」であり、釣り糸(11)を取り付けるアイ(21)が一体的に備えられている。
「釣り針係合部(51)」の機能としての「係合」とは、釣り針部(30)がその軸方向へ動くことがなくなり、中間部材固定手段(60)によって固定された場合には釣り針部(30)がいずれの方向へ力を加えてもシンカーヘッド(20)に対して動かなくなることをいう。
【００１４】
（作用）
釣り針部(30)をシンカーヘッド(20)へ固定するためには、拡幅部(35)を中間部材(50)の釣り針係合部(51)に係合させ、中間部材(50)を中間部材固定手段(60)によって固定する。
釣り針部(30)をシンカーヘッド(20)から取り外すためには、中間部材(50)を中間部材固定手段(60)から外し、釣り針部(30)の拡幅部(35)と中間部材(50)との係合を解除する。
釣り針部(30)が消耗したために使用できなくなっても、シンカーヘッド(20)をそのまま使用し、新たな釣り針部(30)を装着してテンヤ(10)として使用することができる。
【００１５】
（第一の発明のバリエーション１）
第一の発明は、以下のようなバリエーションを提供することもできる。
すなわち、  前記の中間部材(50)は、釣り針部(30)の曲がり部(32)の側に向けて狭くなる方向に傾斜するテーパ面(52)を備える。
前記の中間部材用孔部(42)は、前記の中間部材(50)のテーパ面(52)を挿入可能なテーパ孔(43)を備える。
前記の中間部材固定手段(60)は、前記の中間部材(50)のテーパ面(52)を前記の中間部材用孔部(42)のテーパ孔(43)へ圧着して固定する固定手段とする。
【００１６】
（作用）
釣り針部(30)の拡幅部(35)を中間部材(50)の釣り針係合部(51)に係合させる。中間部材(50)は、シンカーヘッド(20)の中間部材用孔部(42)へ挿入し、中間部材(50)のテーパ面(52)を中間部材用孔部(42)のテーパ孔(43)へ圧着して固定する。
単純で製造しやすい構成部品によって、釣り針部(30)を確実に固定できる。
【００１７】
（第一の発明のバリエーション２）
第一の発明は、以下のように形成してもよい。
すなわち、前記の中間部材(50)は、前記の釣り針部(30)の軸部(31)の一端側を挿入可能に設けた軸部用穴部(55)を備える。
前記の中間部材固定手段(60)は、  前記の中間部材(50)において前記の軸部用穴部(55)とは反対側の先端に備えた固定用係合部(57)と、  前記のシンカーヘッド(21)において前記の中間部材用孔部(42)に連通して前記の固定用係合部(57)に係合する固定用穴部(58)と、  前記の固定用係合部(57)を前記の固定用穴部(57)へ挿入した状態で固定する固定手段と、を備える。
【００１８】
（作用）
釣り針部(30)の拡幅部(35)を中間部材(50)の軸部用穴部(55)へ挿入して釣り針係合部(51)に係合させる。中間部材(50)は、シンカーヘッド(20)の中間部材用孔部(42)へ挿入し、中間部材(50)の固定用係合部(57)を中間部材用孔部(42)に連通する固定用穴部(58)に挿入して固定する。
【００１９】
（第一の発明のバリエーション３）
第一の発明において、  前記の拡幅部について、釣り針部(30)の針先とは反対端を曲げ加工したリング(35)とし、  前記の釣り針係合部(51)について、前記のリング(35)と係合する溝孔の形状としてもよい。
【００２０】
（作用）
釣り針部(30)の針先とは反対端にリング(35)を形成した釣り針部(30)を交換するので、一般的な釣り針部(30)を使用できるため適用範囲が広くなる。
【発明の効果】
【００２１】
第一の発明によれば、シンカーヘッドをそのまま使用し、新たな釣り針（釣り針部）と容易に交換可能なジグヘッドを提供することができた。
【図面の簡単な説明】
【００２２】
【図１】（ａ）は、本発明に係る第一の実施形態のテンヤが釣り糸にて吊り下げられた状態を示す斜視図である。（ｂ）は、（ａ）において構成部材を分解した斜視図である。
【図２】（ａ）は、図１（ａ）におけるテンヤの構成部材の一部を分解した斜視図である。（ｂ）は、（ａ）を紙面の右側から視た断面図である。
【図３】図１（ａ）におけるテンヤの構成部材の一部を示す縦断面図である。
【図４】（ａ）〜（ｄ）は、図１（ａ）におけるテンヤの組立工程を示す説明図である。
【図５】テンヤに関するバリエーションを示すもので構成部材を分解した斜視図である。（ｂ）は、（ａ）におけるテンヤの構成部材の一部を示す斜視図である。
【図６】（ａ）は、テンヤに関するバリエーションを示す斜視図である。（ｂ）は、（ａ）において構成部材を分解した斜視図である。
【図７】（ａ）は、テンヤに関するバリエーションを示す斜視図である。（ｂ）は、（ａ）において構成部材を分解した斜視図である。
【図８】（ａ）は、テンヤに関するバリエーションを示す斜視図である。（ｂ）は、（ａ）におけるテンヤの構成部材の一部を示す斜視図である。
【図９】ジグヘッドが釣り糸にて吊り下げられた状態を示す斜視図である。
【図１０】ジグヘッドに関するバリエーションを示す斜視図である。
【図１１】従来のテンヤの一例を示す断面図である。
【発明を実施するための形態】
【００２３】
以下、本発明の実施形態について図面を参照して説明する。ここで使用するのは、図１から図１０である。図１から図４が第一の実施形態を示す。図５が第二の実施形態、図６が第三の実施形態、図７が第四の実施形態、図８が第五の実施形態、図９が第六の実施形態、図１０が第七の実施形態を示す。
【００２４】
（第一の実施形態）
第一の実施形態に係るテンヤ１０は、図１（ａ）に示すように、シンカーヘッド２０と、釣り針部３０と、を備えている。
シンカーヘッド２０は、亜鉛合金、タングステンなどの比重の大きな金属からなる釣り用錘であり、釣り糸（ライン）１１を取り付けるアイ（ラインアイ）２１を備えている。アイ２１に連結した釣り糸１１は、釣竿を介して釣り糸リールに巻き取られている。
なお、水中でのテンヤ１０は、図１の紙面において左斜め下方向が水面に向いた状態となる。
【００２５】
釣り針部３０は、本実施形態では、摩擦を軽減するためのコーティングを施した鉄鋼製の線材であり、ほぼ直線状の軸部３１と、図１（ａ）において紙面の右下方向へ湾曲した形状の曲がり部３２をなす。軸部３１の一端をシンカーヘッド２０に着脱可能に固定するものであり、軸部３１の他端側に曲がり部３２を形成している。
【００２６】
本実施形態では、市販されている一般的な釣り針を釣り針部３０として使用している。図１（ｂ）に示す釣り針（釣り針部３０）は、針先とは反対端を曲げ加工することで、釣り針単独であればラインアイとして機能するリング３５を形成し、そのリング３５の孔部３６の孔方向は、曲がり部３２の湾曲方向に対してほぼ直交する方向となっている。
なお、リング３５の孔部３６の孔方向は、特に限定されず、例えば曲がり部３２の湾曲方向とほぼ同じ方向に形成した釣り針にも、本願発明は適用できる。
【００２７】
曲がり部３２の先端（針先）は、釣餌を食べようとした魚に刺さる釣り針３３であり、返し３４を設けている。例えば鯛を釣るための釣餌として海老を釣り針部３０に付ける場合、海老の尾羽の一節を残して切り落とし、針先を海老の尾の中心から刺して腹を通し、その腹の中央から外へ出す。
【００２８】
本発明に係るテンヤ１０は、基本的に、シンカーヘッド２０において、釣り針部３０つまり一般的な釣り針を着脱可能に構成していることが特徴である。つまり、シンカーヘッド２０は、釣り針部３０のリング３５と係合しかつ着脱可能な釣り針着脱機構４０を備える。
【００２９】
テンヤ１０は、図１（ａ）および図１（ｂ）に示すように、シンカーヘッド２０と、釣り針部３０と、を備えている。
その釣り針部３０は、ほぼ直線状の軸部３１と、図１（ａ）において前方向の所定方向に湾曲した形状の曲がり部３２と、からなる。曲がり部３２の湾曲方向に対してほぼ直交方向に貫通する孔部３６を備えたリング３５を、軸部３１の一端に備えている。なお、リング３５は平面をなすように拡幅させた拡幅部である。
【００３０】
シンカーヘッド２０は、前述の釣り針着脱機構４０を備える。すなわち、図１（ｂ）に示すようにリング３５と着脱自在に係合する釣り針係合部５１を備えた中間部材５０と、中間部材５０を挿入する中間部材用孔部４２と、中間部材用孔部４２内に中間部材５０を着脱自在に固定する中間部材固定手段６０と、を備えている。
【００３１】
中間部材５０としては、その外形が、釣り針部３０の曲がり部３２の側に向けて狭くなる方向、つまり図１（ｂ）において紙面の下方に向けて細く傾斜するテーパ面５２を備えている。また、中間部材５０は、図２（ａ）に示すように縦方向に半割り形であり、各半割り形の合わせ面に、リング３５と係合する釣り針係合部５１を形成している。さらに、釣り針部３０の軸部３１を嵌め入れるための溝部５３を形成している。
【００３２】
２つの半割り形を、釣り針部３０のリング３５と軸部３１を釣り針係合部５１および溝部５３へ嵌め入れるように合わせる。図２（ｂ）に示すように釣り針部３０におけるリング３５と軸部３１を中間部材５０で固定した状態になる。中間部材５０の外形は、長手方向に垂直で断面円形であり、図２（ｂ）に示すように紙面の下方に向けて細くなるように傾斜するテーパ面５２が形成されている。例えば中間部材５０の上端の直径をＡとし、中間部材５０の下端の直径をＢとすると、Ａ＞Ｂとなり、傾斜角θのテーパとなる。
【００３３】
中間部材用孔部４２としては、図３に示すように中間部材５０のテーパ面５２を挿入可能なテーパ孔４３がシンカーヘッド２０に貫通するように備えている。例えばテーパ孔４３の上端の直径をＣとし、テーパ孔４３の下端の直径をＤとすると、Ｃ＞Ｄとなり、中間部材５０の傾斜角θと同じテーパとなる。
【００３４】
中間部材固定手段６０としては、中間部材５０のテーパ面５２を中間部材用孔部４２のテーパ孔４３へ圧着して固定する固定手段である。
すなわち、図４（ａ）では、釣り針部３０においてリング３５側の軸部３１を、シンカーヘッド２０の中間部材用孔部４２へ下から挿入する。中間部材用孔部４２を突き抜けた釣り針部３０に対して、リング３５側の軸部３１を中間部材５０の２つの半割り形で挟み込んで固定する。
図４（ｂ）では、中間部材５０を下方に移動してシンカーヘッド２０の中間部材用孔部４２へ挿入する。中間部材５０のテーパ面５２が中間部材用孔部４２のテーパ孔４３に嵌め込まれる。
図４（ｃ）では、中間部材５０の上端をハンマーで叩いてシンカーヘッド２０の中間部材用孔部４２へ打ち込む。
図４（ｄ）では、中間部材５０の上端が潰れるほど叩いて、中間部材５０を中間部材用孔部４２へ圧着して固定する。釣り針部３０はシンカーヘッド２０に固定されるので、例えば鯛がかかって強い力がかかっても、釣り針部３０がぐらついたり、空回りしたりしない状態となる。
【００３５】
新たな釣り針部３０と交換する場合は、ペンチなどの工具で変形した中間部材５０を引っ張り出すことができる。新たな釣り針部３０は、前述のように新たな中間部材５０を用いてシンカーヘッド２０へ固定することができる。
【００３６】
（第二の実施形態）
続いて、図５に基づいて、釣り針着脱機構４０のバリエーションについて説明する。
図５（ａ）に示すのは、中間部材５０ａおよび中間部材用孔部４２ａの形状が、図１（ｂ）と異なっている。
すなわち、中間部材５０ａとしては、図５（ｂ）に示すように外形が下に向けて細くなるテーパ面５２ａを備え、かつ縦割り溝５６を有する管状体である。しかも、釣り針部３０のリング３５側の軸部３１を挿入可能な軸部用穴部５５を形成している。後述する中間部材用孔部４２ａにおけるテーパ孔４３ａを傾斜角αとした場合、中間部材５０ａの上端の直径をＥとし、中間部材５０ａの下端の直径をＦとすると、Ｅ＞Ｆとなり、テーパ面５２ａは傾斜角αのテーパとなる。
【００３７】
加えて、中間部材５０ａの上部に、釣り針部３０のリング３５と係合する釣り針係合部５１ａを形成している。釣り針係合部５１ａは、管状体の対向する位置に形成した縦長の貫通孔であり、リング３５の幅方向の両端が中間部材５０ａの外周より外方へ突出するように形成している。
なお、中間部材５０ａは、本実施形態では可撓性のある熱可塑性樹脂を採用したが、本願発明はこれに限定されない。
【００３８】
中間部材用孔部４２ａとしては、中間部材５０ａのテーパ面５２ａを挿入可能なテーパ孔４３ａがシンカーヘッド２０に貫通するように形成されている。さらにテーパ孔４３ａの上端側には、リング３５の幅方向の両端を挿入する溝部４４が縦方向に形成されている。
【００３９】
第二の実施形態が奏する作用は、図４で説明した前述の実施形態とほぼ同じである。すなわち、図５（ａ）に示すように釣り針部３０におけるリング３５側の軸部３１を、シンカーヘッド２０の中間部材用孔部４２ａへ下から挿入する。中間部材用孔部４２ａを突き抜けたリング３５側の軸部３１に対して中間部材５０ａを装着する。
つまり、リング３５側の軸部３１を中間部材５０ａの軸部用穴部５５へ挿入する。この時、リング３５が中間部材５０ａの縦割り溝５６を通るように移動させ、リング３５の幅方向の両端を中間部材５０ａの釣り針係合部５１ａ（縦長の貫通孔）へ挿入する。釣り針部３０が中間部材５０ａに固定される。この作業は中間部材５０ａがプラスチックであるので簡単に実施できる。
【００４０】
次に中間部材５０ａを中間部材用孔部４２ａへ挿入し、中間部材５０ａのテーパ面５２ａが中間部材用孔部４２ａのテーパ孔４３に嵌め込まれる。中間部材５０ａの上端をハンマーで叩いて中間部材用孔部４２ａへ打ち込んで圧着して固定する。他は、前述の実施形態と同じである。
【００４１】
（第三の実施形態）
図６に基づいて、釣り針着脱機構４０のバリエーションについて説明する。
図６（ａ）および図６（ｂ）に示すのは、中間部材５０ｂおよび中間部材用孔部４２ｂの形状が、図１（ｂ）と異なっている。
すなわち、中間部材５０ｂとしては、図６（ｂ）に示すように縦割り溝５６ａを有する管状部５４と、管状部５４の上端に備えた固定用係合部５７と、を備えている。前記管状部５４は、釣り針部３０の軸部３１のリンク３５側を挿入可能な軸部用穴部５５を形成している。加えて、管状部５４の図中の上部に、釣り針部３０のリング３５と係合する釣り針係合部５１ｂを形成している。釣り針係合部５１ｂは、管状部５４の対向する位置に形成した縦長の貫通孔であり、リング３５の幅方向の両端が管状部５４の外周より外方へ突出するように形成している。
固定用係合部５７は、本実施形態では略直方体を形成しており、管状部５４の縦割り溝５６ａに連通する縦溝５６ｂを備えている。
【００４２】
中間部材用孔部４２ｂとしては、中間部材５０ｂの管状部５４を挿入可能な貫通孔がシンカーヘッド２０に形成されている。前記貫通孔の上端側には、固定用係合部５７である略直方体を挿入可能な固定用穴部４５を形成している。なお、固定用穴部４５は固定用係合部５７を圧入する寸法としている。
【００４３】
第三の実施形態が奏する作用は、図４で説明した前述の実施形態とほぼ同じである。すなわち、図６（ｂ）に示すように釣り針部３０におけるリング３５側の軸部３１を、シンカーヘッド２０の中間部材用孔部４２ｂへ図中の下方向から挿入する。中間部材用孔部４２ｂを突き抜けたリング３５側の軸部３１に対して中間部材５０ｂを装着する。
リング３５側の軸部３１を中間部材５０ｂの管状部５４の軸部用穴部５５へ挿入する。この時、リング３５が中間部材５０ｂの管状部５４の縦割り溝５６ａを通るように移動させ、リング３５の幅方向の両端を中間部材５０ｂの釣り針係合部５１ｂ（縦長の貫通孔）へ挿入する。釣り針部３０が中間部材５０ｂに固定される。
【００４４】
次に中間部材５０ｂの管状部５４を中間部材用孔部４２ｂへ挿入し、固定用係合部５７である略直方体をシンカーヘッド２０の固定用穴部４５へ圧入して固定する。固定用係合部５７が略直方体であるので、強い力がかかっても、釣り針部３０がぐらついたり、空回りしたりしない状態となる。他は、前述の実施形態と同じである。
【００４５】
（第四の実施形態）
図７（ａ）および図７（ｂ）に示すのは、図６（ａ）および図６（ｂ）に示したバリエーションの更なる変形例である。
異なる点のみを説明すると、中間部材５０ｃとしては、管状部５４の端部（図中では上端）に備えた固定用係合部５７ａが、平面で断面星型形状を示す立体形状である。中間部材用孔部４２ｃとしては、中間部材５０ｃの管状部５４を挿入可能な貫通孔の上端側に、固定用係合部５７ａである断面星型形状を示す立体形状を挿入可能な固定用穴部４５ａを形成している。なお、固定用穴部４５ａは固定用係合部５７ａを圧入する寸法としている。
【００４６】
第四の実施形態によれば、固定用係合部５７ａが断面星型形状を示す立体形状であるので、強い力がかかっても、釣り針部３０がぐらついたり、空回りしたりしない状態となる。他は図６（ａ）および図６（ｂ）で説明した前述のバリエーションとほぼ同じである。
【００４７】
（第五の実施形態）
図８に示すのは、図６（ａ）および図６（ｂ）に示したバリエーションの変形例である。
異なる点のみを説明すると、中間部材５０ｄとしては、図８（ｂ）に示すように管状部５４における図中の下部分がシンカーヘッド２０から図中の下方向へ突出するように延伸した突出部を形成し、前記突出部の外周に多数の針状突起５４ａを配置している。他は同様である。
組立てた状態は、図８（ａ）に示すようにシンカーヘッド２０から下方に突出した釣り針部３０の周囲に多数の針状突起５４ａを配置した状態となる。例えば鯛を釣るための釣餌として海老を釣り針部３０に付ける場合、海老は多数の針状突起５４ａにも付けることになる。摩擦を軽減するためのコーティングを施した釣り針部３０を貫通している柔らかい海老であっても、簡単には外れにくくすることに寄与する。
【００４８】
第一から第五の実施形態に係るシンカーヘッド２０には、釣り針部３０の固定に際して溶着が不要である。タングステンなど高価な素材を用いることによって体積が小さくて大きな比重のシンカーヘッドを得たいというニーズに対し、溶着を必要とすることによる比重の低下はない。
【００４９】
（第六の実施形態）
前述してきた実施形態は、テンヤ１０を例として説明したが、本願発明に係る技術は、ジグヘッド７０にも適用できる。
ジグヘッド７０における適用例について説明する。
図９に示すのは、ジグヘッド７０の錘７１が球体である。錘７１は釣り糸１１を取り付けるアイ７２を備えている。錘７１は、釣り針部３０の拡幅部としての例えばリング３５と係合しかつ着脱可能な前述の釣り針着脱機構４０を備えことができる。釣り針着脱機構４０については同じであるので、詳しい説明は省略する。
【００５０】
（第七の実施形態）
図１０に示すのは、図９に示したバリエーションの変形例である。
異なる点は、ジグヘッド７０ａの錘７１ａを半球体とした点であり、他は同じである。
【産業上の利用可能性】
【００５１】
本発明は、釣り具の製造業、販売業またはレンタル業、アウトドアスポーツのインストラクター事業などにおいて、利用可能性を有する。
【符号の説明】
【００５２】
１０；  テンヤ（ジグヘッド）              １１；  釣り糸
２０；  シンカーヘッド                    ２１；  アイ
３０；  釣り針部                          ３１；  軸部
３２；  曲がり部                          ３３；  釣り針
３４；  返し
３５；  リング（拡幅部）
３６；  孔部
４０；  釣り針着脱機構
４２，４２ａ，４２ｂ，４２ｃ；  中間部材用孔部
４３，４３ａ；  テーパ孔                ４４；  溝部
４５，４５ａ；  固定用穴部
５０，５０ａ，５０ｂ，５０ｃ，５０ｄ；中間部材
５１，５１ａ，５１ｂ；  釣り針係合部
５２，５２ａ；   テーパ面                ５３；  溝部
５４；  管状部                            ５４ａ；  針状突起
５５；  軸部用穴部                        ５６，５６ａ；  縦割り溝
５６ｂ；  縦溝                            ５７，５７ａ；  固定用係合部
６０；  中間部材固定手段
７０，７０ａ；  ジグヘッド
７１，７１ａ；  錘                          ７２；  アイ
【図１】
2015192601.tif 000003
【図２】
2015192601.tif 000004
【図３】
2015192601.tif 000005
【図４】
2015192601.tif 000006
【図５】
2015192601.tif 000007
【図６】
2015192601.tif 000008
【図７】
2015192601.tif 000009
【図８】
2015192601.tif 000010
【図９】
2015192601.tif 000011
【図１０】
2015192601.tif 000012
【図１１】
2015192601.tif 000013